(57)【特許請求の範囲】
【請求項１】
一時的に一定な磁界を中央縦穴（１４）内に配置された検査域の縦軸方向に生成する磁石機構（１０）と、
前記検査域内の相互に直交する３つの軸に沿って磁界傾斜を生成する傾斜コイル（３４、３６、３８）を含む傾斜コイル機構（３０）とを含み、
前記傾斜コイル機構（３０）は前記検査域の周囲に配置され、さらに、
前記検査域の周囲および前記傾斜コイル機構（３０）に隣接して配置される無線周波数コイル（５４）を含む無線周波数コイル機構（５０）と、
前記傾斜コイル（３４、３６、３８）および前記無線周波数コイル（５４）の間に配置された無線周波数シールド（６０）とを含む磁気共鳴装置において、
前記無線周波数シールド（６０）は、第１および第２の面をもち、前記検査域の周りを円周的に延びる誘電層（６２）と、
前記穴（１４）の縦軸と平行に延びる前記誘電層（６２）の前記第１の面に配置された複数の第１の金属帯（７２）と、
前記縦軸と平行に延びる前記誘電層（６２）の前記第２の面に配置された複数の第２の金属帯（７２）とを有し、
前記第２の金属帯（７２）は、前記第１の金属帯（７２）の各々が前記第２の金属帯（７２）のうちの２つに容量結合され、前記第２の金属帯（７２）の各々が前記第１の金属帯（７２）のうちの２つに容量結合されるように前記第１の金属帯（７２）に対して円周方向にオフセットであり、さらに、
前記金属帯（７２）の各々を隣接する金属帯と相互接続する低インピーダンスのブリッジ（７４）を有し、
前記低インピーダンスのブリッジ（７４）は、低周波数の電流と直流電流が前記無線周波数シールド（６０）の周りを円周的にループ状に流れることを防止するために前記縦軸方向にオフセットしたことを特徴とする磁気共鳴装置。
【請求項２】
複数の低インピーダンス接続点（７６）が、前記複数の第１の金属帯（７２）を前記複数の第２の金属帯（７２）と接続する請求項１記載の磁気共鳴装置。
【請求項３】
前記第１および第２の金属帯（７２）間の低インピーダンス接続点（７６）は直角対称に配置された請求項２記載の磁気共鳴装置。
【請求項４】
前記低インピーダンスのブリッジ（７４）は、前記低周波数の電流と直流電流が蛇行通路に沿って流れるように、隣接する金属帯（７２）の互いに反対側の端で、交互に配置される請求項１から３のいずれか１項に記載の磁気共鳴装置。
【請求項５】
前記無線周波数コイル（５４）は、前記無線周波数シールド（６０）と隣接する前記穴（１４）の周りを円周的に延びる一対の端リング（７８）を有する鳥篭型のコイルで、
前記低インピーダンスのブリッジ（７４）は通常前記鳥篭型無線周波数コイルの端リング（７８）と配列配置される請求項１から４のいずれか１項に記載の磁気共鳴装置。
【請求項６】
前記第１および第２の金属帯（７２）での間隙（７０）は金属フォイルを第１および第２の連続フォイルシート（６４、６６）から除去することにより形成され、
前記低インピーダンスのブリッジは前記金属フォイルの除去を阻止することにより形成される請求項１から５のいずれか１項に記載の磁気共鳴装置。
【請求項７】
前記ブリッジの低インピーダンス化は容量素子を含めて成す請求項１から６のいずれか１項に記載の磁気共鳴装置。
【請求項８】
前記傾斜コイル機構（３０）は誘電成形具（３２）を含み、  前記無線周波数シールド（６０）は前記誘電成形具（３２）の外表面の周りに設置され、  前記傾斜コイル（３４、３６、３８）は前記無線周波数シールド（６０）の周りに設置される請求項１から７のいずれか１項に記載の磁気共鳴装置。
【発明の詳細な説明】
【０００１】
【発明の属する技術分野】
本発明は、磁気共鳴装置に関する。特に、環状磁石を用いたシリンダ状穴を有する磁気共鳴撮像装置に関し、詳細な例を用いて説明する。しかし本発明は、磁気共鳴分光装置および他のタイプの磁気共鳴撮像装置にも関することを認識されたい。
【０００２】
【従来の技術】
これまで、磁気共鳴撮像装置には通常、トロイダルジュワー真空体により包囲された一連の環状超伝導磁石が含まれた。傾斜磁界コイルはジュワー真空体の中央穴の周りに円周状に配置され、その際誘電シリンダ成形具上に支持されることが多い。無線周波コイルは通常、傾斜コイル内に配置され、その際別のシリンダ成形具上にあることが多い。
【０００３】
中央患者収容穴の大きさ、すなわち収容できる患者の大きさを最大にするためには、できるだけ大きな直径のシリンダ上に無線周波コイルを設置することが望ましかった。しかし他方で、超伝導主磁界磁石のコストはその大きさと直径と共に増大した。よって、主磁界磁石の直径をできるだけ小さくすることが望ましかった。磁気共鳴撮像において、傾斜磁界コイルは磁界傾斜パルスを生成するために要された。磁界傾斜パルスの鮮鋭さまたは明確さは、結果画像の解像度および鮮鋭さの限定要因であった。傾斜磁界コイルの大きさが小さければ小さいほど、すなわち、直径が小さければ小さいほど、効率、旋回速度の増大および冷却シールドとの相互作用からのうず電流効果の減少により傾斜磁界パルスはより鮮鋭に、またより明確になる傾向があった。これらの様々な問題を調整するため、無線周波および傾斜磁界コイルは両方の直径がほとんど同じになるくらい近接して設置された。
【０００４】
傾斜コイルは、高アンペア数のキロヘルツ周波電流パルスを適用することにより振動した。傾斜コイルに適用された高電力パルスは電気雑音を生成し、それにより無線周波コイルの受信した信号が転化した。無線周波コイルをこの雑音から保護するため、通常金属性のシールドが傾斜コイルと無線周波コイル間に配置された。一般に、金属層が厚ければ厚いほど、シールドはより効果的となる。金属シールドは、傾斜磁界コイルを収容した誘電成形具の内径に配置されるか、または傾斜コイルの適用前に誘電成形具の外径に積層されることが多かった。例えば、Morich、DeMeester、PatrickおよびZou によるヨーロッパ公開特許E.P.O     . 0629875A を参照されたい。E.P.O. 0629875A によれば、磁気共鳴撮像装置   の磁界アセンブリは、環状真空チャンバ２４内に搭載された環状超伝導マグネット１０を有している。円筒形部材２６は超伝導マグネットが均一で安定した磁界を生成する中心ボアを限定する。円筒形誘電性形成体４６は、円筒形部材から僅かな距離だけ離れているボア内に搭載されている。無線周波数コイル３２は、円筒形部材内に搭載されていて被検体を収容する検査領域を限定する。ＲＦ遮蔽３４は、形成体の外側環状表面周辺に搭載されている。主勾配コイル４０は、ＲＦ遮蔽周辺の誘電性形成体の外側周辺に設置されている。図３に示すように、遮蔽されていない勾配コイルが使用された場合、主勾配コイルおよびＲＦ遮蔽が、円筒形部材２６の外側直径周辺に設置される。
【０００５】
【発明が解決しようとする課題】
より迅速で高度な解像度撮像への分析的な要求に答えるため、傾斜強度および旋回速度が増大されてきた。つまり、傾斜がより大きく、明確になっている。ここで持ち上がった問題の１つは、傾斜パルスが大きいと、周りの金属シールド等の金属にパルスと対応したうず電流が誘導されることであった。うず電流は旋回速度を制限した。
【０００６】
うず電流を制限する方法の一つは、固体銅シートを切って小さめの断片にすることによりうず電流を伝導する材料のサイズを小さくして、結果としてうず電流を減少するものであった。例えば、Hayes による U.S.P. 4,642,569 および Rezedzian による U.S.P. 5,243,286 を参照されたい。U.S.P. 4,642,569 によ    れば、シリンダ穴（１２）をもつ超伝導ソレノイドは、偏向磁界を生成するクライオスタット（１８）内に主巻線セット（１６）を有し、補正シムコイルセット（２０）により均質化される。ＲＦコイル機構（２２）は、ＲＦシールド（２６）を挟んで傾斜コイル機構（２４）内に軸状に配置される。このシールドは、テフロン製のプリント回路基板等のフレキシブルな誘電層（３６）により分離される、例えば銅製のシートを２つ（３２、３４）有する。シートは、直交間隙（４０、４２）により分離される長四角形の伝導領域（３８）アレイに分けられ、上アレイと下アレイ間には半幅オフセットがある。伝導素子は無線周波で短回路として動作するが、振動磁界傾斜と関連した均質可聴磁界を転送する。本発明は全身ＮＭＲ撮像用の超伝導磁石において使用される。
【０００７】
U.S.P. 5,243,286 によれば、機構はシリンダ状のユニタリ部材を含む。主コ イルはシリンダ状の表面の周りに配置される。表面は部材上または部材内にあり、縦軸を有する。シールドコイルは、別のシリンダ表面の周りに配置され、部材上または部材内にあるが、他方のシリンダ表面の外側に位置する。２つのシリンダ表面が同心状に配置されることにより、主コイルおよびシールドコイルの配置が確実となる。主およびシールドコイル間の逆位相関係により、傾斜コイル機構の生成する音響雑音の減少が確実となる。
【０００８】
うず電流を制限するもう一つの方法は、固体銅シートの代わりに銅メッシュを使用することであった。通常、メッシュの金属性は金属シートよりも小さいため、シールドが弱まった。他の方法としては、固体銅シートの代わりに絶縁体コーティングされた銅テープ帯を使用することであった。テープはシリンダに沿って縦軸状に延び、隣接テープ帯が積層されることにより伝導結合が生成された。重なった銅テープ帯間の有効伝導結合は、例えばメガヘルツ範囲内の無線周波電流に対して有効短回路を提供した。しかし、伝導結合は低周波成分に対する開回路となった。積層銅テープの欠点の一つは、ＲＦ電流の低インピーダンス通路が帯上の極めて薄い誘電コーティングにより顕著となることであった。まず、テープまたは帯上に十分薄い誘電コーティングを施すのはかなり困難なことであった。次に、誘電コーティングを薄くすることによりアークが助長された。
【０００９】
積層テープ帯および切片銅シートにおける更なる欠点は、有効閉通路が無線周波うず電流成分に対してのみ提供されることである。キロヘルツ周波数の誘導電流は、帯間でアークする傾向にあった。アークは雑音スパイクを引き起こし、よってここでも結果画像の質低下がみられた。
【００１０】
銅帯および銅メッシュの使用はうず電流を制限したが、このうず電流問題はただ少し改善されただけにとどまった。傾斜強度および旋回速度の増大は継続されたため、不良うず電流は銅帯および銅メッシュによってでさえも生じることが分かった。
【００１１】
本発明は、上記問題を軽減する磁気共鳴装置を提供する。
【００１２】
【課題を解決するための手段】
本発明の１つの態様によれば、一時的に一定な磁界を中央縦穴内に配置された検査域の縦方向に生成する磁石機構と、前記検査域内の相互に直交する３つの軸に沿って磁界傾斜を生成する傾斜コイルを含む傾斜コイル機構とを含み、前記傾斜コイル機構は前記検査域の周囲に配置され、さらに、前記検査域の周囲および前記傾斜コイル機構に隣接して配置される無線周波コイルを含む無線周波コイル機構と、前記傾斜コイルおよび前記無線周波コイルの間に配置された無線周波シールドとを含む磁気共鳴装置において、前記無線周波シールドは、第１および第２の面をもち、前記検査域の周りを円周的に延びる誘電層と、前記穴の縦軸と平行に延びる前記誘電層の前記第１の面に配置された複数の第１の金属帯と、前記縦軸と平行に延びる前記誘電層の前記第２の面に配置された複数の第２の金属帯とを有し、前記第２の金属帯は、前記第１の金属帯の各々が前記第２の金属帯のうちの２つに容量結合され、前記第２の金属帯の各々が前記第１の金属帯のうちの２つに容量結合されるように前記第１の金属帯に対して円周的にオフセットであり、さらに、前記金属帯の各々を隣接する金属帯と相互接続する低インピーダンス相互接続を有し、前記低インピーダンス相互接続は、低周波の直流が前記無線周波シールドの周りを円周的にループ状に流れることを防止するために縦方向にオフセットであることを特徴とする磁気共鳴装置が提供される。
【００１３】
本装置はさらに、前記複数の第１の金属帯を前記複数の第２の金属帯と接続する複数の低インピーダンス接続を含むことが好ましい。
【００１４】
本発明による装置において、前記低インピーダンス相互接続は、前記低周波の直流のジグザグ通路におけるフローが制限されるように帯の隣接する反対側の端に交互に適切に配置される。
【００１５】
前記無線周波コイルは、前記無線周波シールドと隣接する前記穴の周りを円周的に延びる一対の端リングを有する適切な鳥篭型のコイルで、前記低インピーダンス相互接続は通常前記鳥篭型無線周波コイルの端リングと配列配置される。
【００１６】
本発明の第２の態様によれば、穴の中の検査域内に一時的に一定な磁界を生成する主磁石機構と、前記検査域内に磁界傾斜を引き起こすために前記穴内に設置された傾斜コイル機構と、前記検査域内に無線周波パルスを送信するために前記傾斜コイル機構内に配置された無線周波コイル機構と、前記傾斜コイル機構および前記無線周波コイル機構間に配置された無線周波シールドとを含む磁気共鳴装置で用いられ、前記検査域内の縦方向に前記一時的に一定な磁界を生成し、前記傾斜コイル機構で前記検査域に磁界傾斜パルスを誘導し、前記無線周波コイル機構で前記検査域に無線周波パルスを適用することを含む磁気共鳴において、前記無線周波コイル機構により前記無線周波シールド内に誘導された無線周波うず電流を前記シールドの周りに円周的にフローさせ、一方で前記傾斜コイル機構により誘導された傾斜コイル周波うず電流が前記無線周波シールドの周りに円周的にフローするのをブロックし、前記無線周波シールド内に誘導された前記傾斜コイル周波うず電流を、最小限の円周成分をもつ縦方向の主成分を有する蛇行通路に沿ってフローさせることを特徴とする磁気共鳴が提供される。
【００１７】
本発明の１つの利点は、無線周波シールドが増大することである。
【００１８】
本発明の別の利点は、電気アークおよびそれに伴う雑音が減少することである。
【００１９】
本発明のまた別の利点は、傾斜およびキロヘルツ範囲のうず電流が最小限に抑えられることである。
【００２０】
【発明の実施の形態】
次に添付図面を参照しながら、実施例に基づいて本発明による１つの磁気共鳴装置およびその動作方法について説明する。
【００２１】
図１を参照すると、装置は、シールドコイル１２と一緒に中央穴１４の縦軸またはｚ軸に沿って延びる主磁界を生成する複数の超伝導主磁界コイル１０を含む。主磁界は一時的に一定で、穴１４の幾何学的中心において撮像域を通して実質的に均一である。超伝導コイル１０、１２は、コイルを超伝導温度にまで冷却するヘリウム缶１６内に収容される。ヘリウムの沸騰を抑えるため、超伝導磁界コイルおよびヘリウム缶は冷却シールド１８およびジュワー真空体２０により包囲される。ジュワー２０はトロイダル真空容器で、中央穴１４の周りを延びる。真空容器は内シリンダ壁２２を含む。
【００２２】
引き続き図１を、そして更に図２を参照すると、主傾斜コイル機構３０がトロイダル真空容器の内壁２２内に設置される。傾斜コイル機構は、ガラス繊維強化エポキシ樹脂等の誘電材料からなるシリンダ状成形具３２を含む。ｚ傾斜コイル３４は、誘電成形具３２の周りに巻かれる。ｙ傾斜コイル３６はｚ傾斜コイルの周りに巻かれ、ｘ傾斜コイル３８はｙ傾斜コイルの周りに巻かれる。好ましい実施例においてはｘおよびｙ傾斜コイルは拇印型または分布型傾斜コイルだが、束傾斜コイルの使用も可能である。傾斜コイル機構は、セルフシールド傾斜コイル機構であることが好ましい。このためｘ、ｙおよびｚ傾斜シールドコイル４０は、主傾斜コイル機構３０を包囲する。主およびシールド傾斜コイル３０、４０は、２つのコイルの傾斜磁界が検査域内で結合することにより線形傾斜を生成して中央穴１４の外側で相殺するように傾斜磁界を生成する。好ましい実施例では、シールド傾斜コイルはトロイダル真空容器のシリンダ２２の表面上に設置される。磁界シム（図示せず）は、主およびシールド傾斜コイル３０、４０の間の環状間隙に挿入される。
【００２３】
無線周波コイル機構５０は、主傾斜コイル機構３０内に設置される。好ましい実施例をより詳述すると、無線周波コイル機構は、鳥篭型コイル５４の設置される誘電成形具５２を含む。穴ライナ５６は鳥篭コイル機構内に配置され、中央穴の長さを延長して無線周波および傾斜コイル機構に対して装飾用被覆を提供する。
【００２４】
引き続き図１および図２を、そして特に図３を参照すると、無線周波またはＲＦコイルシールド６０が、無線周波コイル機構５０と主傾斜コイル３４、３６および３８間に配置される。好ましい実施例では、無線周波シールド６０は、主ｘ、ｙおよびｚ傾斜コイルの適用前にシリンダ状誘電成形具３２の外表面に適用される。他に、無線周波シールド６０が誘電成形具３２の内表面に設置されてもよい。
【００２５】
好ましい実施例における無線周波数シールド６０は両面回路基板であり、それぞれ反対側に付着した金属層（銅が好ましい）フォイル６４、６６をもつ中央誘電層６２を含む。誘電材料は薄く、フレキシブルで、誘電シリンダの周囲を容易に包むことができる。テフロン、ファイバ強化エポキシ樹脂等が適切な誘電層である。好ましい実施例では、銅層６４、６６はエッチングされたり、カットされたりすることにより、シリンダ状誘電成形具の軸芯に対して平行に延びる一連の間隙７０を設定し、その間には金属または銅帯７２がある。薄いブリッジ７４は、隣の金属帯７２同士を交互に反対側の端で相互接続する。この方法により、蛇行状の凡そＳ字型の低インピーダンス通路が隣接帯７２により設定される。好ましい実施例では、銅層は半オンスの銅であり、縦帯は約３５ｍｍ幅で約０．１７５ｍｍの間隙により分離される。各々が約１ｃｍ幅の低インピーダンスの３つのブリッジは隣接する金属帯を接続させて、それは隣接する金属帯毎に交互に反対側の端で接続する。ブリッジをエッチングしてその高さを低くしてもよい。
【００２６】
引き続き図３を、そして更に図４を参照すると、低インピーダンスブリッジにより相互接続される同様の金属帯７２が誘電層６２の両面に提供される。ところで、それらの金属帯は互いにずらしてあるため、誘電層の片側の各金属帯７２は、誘電層の反対側の隣接する金属帯７２と部分的に重なり合う。図示した実施例では、この重複部分は約１７．５ｍｍである。４つのタブ７６により、誘電層の両側の電導体間に低インピーダンス通路が提供される。タブは直角対称に配置される。つまり、タブは各端および円周上の等位置に導入される。タブ７６はまた、接地接続において便利なポイントとなる。誘電シートの長さについては、誘電成形具３２の周りを円周的に延び、端の金属帯が前述した金属帯と同様に積層するように選択される。誘電シリンダ３２の周りを円周的に、両側に少なくとも３２個の金属帯が提供されることが好ましい。つまり、好ましい実施例は約６４個の金属帯を有する。両面の金属帯間の低インピーダンス接続点（タブ７６）は、誘電シート６２におけるアークを防止する。このように誘電シートの両端に短絡経路部を設けることが特に重要である。
【００２７】
両面上の積層された金属帯および誘電シート自体により、シールドの両面間で容量相互接続が提供される。シールド内で誘導された無線周波数電流は、間に誘電層をもつ重複部の帯により形成されたコンデンサを通ってシールドに沿ってシリンダ状誘電成形具の径方向及び円周方向に流れる。周縁の効果を無視した場合、容量は次式により定義される。
【００２８】
Ｃ＝εＡ／ｄ    …（１）
【００２９】
ここで、εは誘電率、Ａは積層帯間の誘電領域、ｄは誘電厚である。従って、シールド内の電流フローを最大にするために、非常に薄く、空気の誘電率に対して高い誘電率をもつ誘電層を使用して容量を最大にする。隣接する２つの帯間の狭い間隙は更に、容量をいくらか提供し、その際、εは傾斜コイル機構と統合された場合の空気またはエポキシ樹脂収容媒体、Ａは各帯のエッチングされた側の面積、ｄは帯間隔幅である。この方法によると、帯の各側で方位方向において帯から帯へと、制限された高周波数の電流フローが他とは独立して提供される。
【００３０】
この容量により、シリンダ状誘電成形具の径方向における可聴周波数、特に傾斜コイルによるうず電流の流れが防止される。これらの容量結合により提供されたインピーダンスは、周波数と反比例する。従って、可聴周波数すなわちキロヘルツ周波数の傾斜コイルによるうず電流がブロックされ、一方で、無線周波数、特にメガヘルツ周波数のうず電流はブロックされない。金属帯を接続するブリッジは、完全なリングが形成されないよう、隣接する金属帯を交互に互い違いに反対側の端だけに配置される。故にこのブリッジは、円周的に直接流れる低周波数電流通路を提供するものであり、うず電流を助長することはない。金属帯の各端では、１つおきに短絡している。金属帯の縦軸方向では最小限の低周波数うず電流のみ生成され、流れる電流は全て優先的にＢxまたはＢ y磁界（すなわち、ＲＦシールド効果）を生成する傾向にある。従って、一連の金属帯の縦軸方向に長い通路は傾斜パルスにおいて問題とはならず、むしろ適切なＲＦスクリーンを提供する。
【００３１】
シールドの各側における独立した帯間のアークは、ブリッジの存在により除去される。ブリッジは、隣接の銅帯間の高電圧レベルの発生を防止する。誘電層を通る、またはその周囲のシールドの両側間のアークは、４つの対称点７６においてシールドの両側を共に短くすることで防止される。４個所７６は、直角対称を維持するために選択される。
【００３２】
図５を参照すると、他の様々なエッチング通路が提供され、また他の様々な誘電材料が使用される。好ましい実施例ではファイバ強化エポキシ樹脂が使用されているが、より高価な材料であるテフロンの誘電率は低く、誘電損失タンジェントも低い。従ってシールド内に設置されるＲＦコイルのＱ要因は、テフロンを用いた場合、ファイバ強化エポキシ樹脂のときと比較して湿り具合が少ない。当業者は、シールド構成に使用可能な他の誘電が多く存在することを認識するであろう。
【００３３】
図５の実施例では、ブリッジ７４はシリンダの各端から短距離に位置する。ブリッジは、鳥篭コイル５４の端リング７８と実質的に縦方向に配列される。この他、１、２、４等の違う数のブリッジを縦帯間に設置してもよい。
【００３４】
図１を再度参照すると、シーケンス制御プロセッサ８０がメモリにアクセスし、複数ある所定磁気共鳴撮像シーケンスうちの１つを負荷する。シーケンス制御プロセッサ８０は傾斜電流制御８２と送信機８４とを制御し、負荷された磁気共鳴シーケンスに基づいて無線周波および傾斜パルスを形成する。傾斜コイル制御器８２は、適切な主傾斜コイル３４、３６、３８およびシールド傾斜コイルに電流パルスを順に供給する一連の電流パルス増幅器８６と接続される。送信機８４（デジタル送信機が好ましい）は無線周波コイル５４と接続されることにより、無線周波パルスを生成して検査域内の被検体の身体部分の選択ダイポールに磁気共鳴を励起、操作する。無線周波受信機８８（デジタル受信機が好ましい）は無線周波コイルまたは表面コイル（図示せず）と接続されることにより、被検体の検査部分から発信される磁気共鳴信号を復調する。画像再構成プロセッサ９０は、逆２次元フーリエ変換再構成等の従来の再構成アルゴリズムを用いて受信された共鳴信号を電子画像表示に再構成する。画像表示は画像メモリ９２内に記憶される。ビデオプロセッサ９４は、画像メモリ９２に記憶された電子画像の選択部分を適切なフォーマットに変換することにより、それをビデオ、ＬＣＤ、能動行列または他のモニタ９６に表示する。
【００３５】
【発明の効果】
本発明によれば、無線周波シールドが増大し、電気アークおよびそれに伴う雑音が減少し、傾斜およびキロヘルツ範囲のうず電流を最小限に抑える磁気共鳴装置が提供される。
【図面の簡単な説明】
【図１】本発明による装置の概略図である。
【図２】本装置の傾斜および無線周波コイル機構の拡大断面図である。
【図３】誘電シリンダ成形具との関連における本装置のＲＦシールドを描写した概略図である。
【図４】図３のＲＦシールドの４−４部分の断面図である。
【図５】蛇行する低インピーダンス接続通路が一般に鳥篭ＲＦコイルの端リングと整列されたＲＦシールドの他の実施例である。
【符号の説明】
１０  主磁界コイル
１２  シールドコイル
１４  中央穴
１６  ヘリウム缶
１８  冷却シールド
２０  ジュワー真空体
２２  内シリンダ壁
３０  主傾斜コイル機構
３２、５２  誘電成形具
３４  ｚ傾斜コイル
３６  ｙ傾斜コイル
３８  ｘ傾斜コイル
４０  ｚ傾斜シールドコイル
５０  無線周波数コイル機構
５４  鳥篭型コイル
５６  穴ライナ
６０  ＲＦコイルシールド
６２  誘電層
６４、６６  銅層
７０  間隙
７２  金属帯
７４  ブリッジ
７６  低インピーダンス接続点（タブ）
７８  端リング
８０  シーケンス制御プロセッサ
８２  傾斜コイル制御器
８４  送信機
８６  電流パルス増幅器
８８  受信機
９０  画像再構成プロセッサ
９２  画像メモリ
９４  ビデオプロセッサ
【図１】
0003786460.tif 000002
【図２】
0003786460.tif 000003
【図３】
0003786460.tif 000004
【図４】
0003786460.tif 000005
【図５】
0003786460.tif 000006